(57)【要約】【課題】  コスト上昇を抑制しつつ、伝送エラーの発生を低減して信頼性を向上できるデータ伝送システムを提供する。【解決手段】  送信対象のデータである原データの少なくとも一つのビットの時系列な並びを、所定の信号系列であるデータ変換パターンを用いて変換し、送信する送信装置と、送信装置から受信したデータのうち、変換されたビットの時系列な並びを送信装置と同一のデータ変換パターンを用いて変換し、元の原データを復元する受信装置とを有する構成とする。【選択図】  図１
2006060366.tif 000002
【特許請求の範囲】
【請求項１】
送信対象のデータである原データの少なくとも一つのビットの時系列な並びを、所定の信号系列であるデータ変換パターンを用いて変換し、送信する送信装置と、
前記送信装置から受信したデータのうち、前記変換されたビットの時系列な並びを前記送信装置と同一のデータ変換パターンを用いて変換し、元の原データを復元する受信装置と、
を有するデータ伝送システム。
【請求項２】
前記送信装置は、
前記原データと前記データ変換パターンの論理演算結果を送信し、
前記受信装置は、
前記送信装置から受信したデータと前記データ変換パターンの論理演算結果を出力することで前記原データを復元する請求項１記載のデータ伝送システム。
【請求項３】
前記受信装置は、
前記復元された原データ中の伝送エラーを検出するエラー検出回路と、
前記伝送エラーの発生回数をカウントするエラー発生回数カウント回路と、
前記伝送エラーの発生回数が、対応する前記データ変換パターンと関連付けられて履歴情報として蓄積される履歴テーブルと、
前記履歴テーブルへ前記履歴情報を格納すると共に、該履歴情報に基づいて前記伝送エラーの発生回数が最も少なくなるように、予め決められた複数種類のデータ変換パターンのなかから前記送信装置及び受信装置で用いるデータ変換パターンを選択するパターン制御装置と、
を有する請求項１または２記載のデータ伝送システム。
【請求項４】
前記受信装置は、
前記復元された原データ中の伝送エラーを検出するエラー検出回路と、
前記伝送エラーの発生回数をカウントするエラー発生回数カウント回路と、
前記伝送エラーの発生回数が、対応する前記データ変換パターンに関連付けられて履歴情報として蓄積される履歴テーブルと、
を有し、
前記履歴テーブルへ前記履歴情報を格納すると共に、該履歴情報に基づいて前記伝送エラーの発生回数が最も少なくなるように、予め決められた複数種類のデータ変換パターンのなかから前記送信装置及び受信装置で用いるデータ変換パターンを選択するパターン制御装置をさらに有する請求項１または２記載のデータ伝送システム。
【請求項５】
前記パターン制御装置は、
前記データ変換パターンの使用時間を、対応する前記データ変換パターンに関連付けて前記履歴情報として前記履歴テーブルにそれぞれ格納する請求項３または４記載のデータ伝送システム。
【請求項６】
前記パターン制御装置は、
実行中のＪＯＢの情報を取得し、取得した前記ＪＯＢの情報を、対応するデータ変換パターンに関連付けて前記履歴情報として前記履歴テーブルにそれぞれ格納する請求項３乃至５のいずれか１項記載のデータ伝送システム。
【請求項７】
前記パターン制御装置は、
前記履歴テーブルに前記履歴情報が無いとき、
前記送信装置に、前記原データを送信しない期間を利用して、予め設定された複数種類のデータ変換パターンを順に切り替えつつ、各データ変換パターンを用いた前記原データの変換後のデータをそれぞれ所定の一定時間だけ送信させることで、前記履歴テーブルに前記履歴情報を蓄積する請求項３乃至６のいずれか１項記載のデータ伝送システム。
【請求項８】
前記受信装置は、
前記履歴テーブルに蓄積された前記履歴情報を、外部から読み出し可能にするためのインタフェース部を備えた請求項３乃至７のいずれか１項記載のデータ伝送システム。
【請求項９】
請求項３乃至８のいずれか１項に記載のデータ伝送システムを備えた複数の装置と、
前記装置と互いに通信可能に接続された、前記装置が備える前記履歴テーブルに格納された前記履歴情報を収集・蓄積するデータベース装置と、
を有する通信システム。
【発明の詳細な説明】
【技術分野】
【０００１】
本発明はデータを送受信するためのデータ伝送システムに関する。
【背景技術】
【０００２】
近年、移動端末装置やコンピュータ装置あるいは電子計測器等の各種電子装置の処理能力が向上し、それらに内蔵されるＬＳＩの処理速度やＬＳＩ間で送受信されるデータの伝送速度の高速化が一層進んでいる。そのため、近年の電子装置ではデータ伝送におけるエラーの発生頻度が高まる傾向にある。今後、処理速度やデータ伝送速度の更なる高速化により、データ伝送時のエラー対策や信頼性を向上させるための技術が益々重要になる。
【０００３】
従来、データ伝送におけるエラー検出及びエラー訂正処理には、ＥＣＣ（Error Checking and Correction）と呼ばれる誤り訂正方式が用いられている。ＥＣＣ方式では、送信側のＬＳＩにより誤り訂正に用いる冗長符号を伝送データに付加（符号化）して送信し、受信側のＬＳＩは該冗長符号を用いて受信データ中に含まれる誤りを検出・訂正し、元の伝送データを再生する（復号）。なお、ＥＣＣについては、例えば特許文献１に詳細に記載されている。
【特許文献１】特開平９−３０７５３２号公報
【発明の開示】
【発明が解決しようとする課題】
【０００４】
しかしながら、上述したＥＣＣ方式を採用したデータ伝送システムでは、誤り訂正能力を高めるために冗長符合のビット数を増やすと、符号化や復号に必要なハードウェア量やソフトウェアによる処理量が飛躍的に増大してしまう。そのため、装置コストが上昇する問題があった。
【０００５】
本発明は上記したような従来の技術が有する問題点を解決するためになされたものであり、コスト上昇を抑制しつつ、伝送エラーの発生を低減して信頼性を向上できるデータ伝送システムを提供することを目的とする。
【課題を解決するための手段】
【０００６】
上記目的を達成するため本発明のデータ伝送システムは、送信対象のデータである原データの少なくとも一つのビットの時系列な並びを、所定の信号系列であるデータ変換パターンを用いて変換し、送信する送信装置と、
前記送信装置から受信したデータのうち、前記変換されたビットの時系列な並びを前記送信装置と同一のデータ変換パターンを用いて変換し、元の原データを復元する受信装置と、
を有する構成である。
【０００７】
このとき、前記送信装置は、
前記原データと前記データ変換パターンの論理演算結果を送信し、
前記受信装置は、
前記送信装置から受信したデータと前記データ変換パターンの論理演算結果を出力することで前記原データを復元してもよい。
【０００８】
また、前記受信装置は、
前記復元された原データ中の伝送エラーを検出するエラー検出回路と、
前記伝送エラーの発生回数をカウントするエラー発生回数カウント回路と、
前記伝送エラーの発生回数が、対応する前記データ変換パターンと関連付けられて履歴情報として蓄積される履歴テーブルと、
前記履歴テーブルへ前記履歴情報を格納すると共に、該履歴情報に基づいて前記伝送エラーの発生回数が最も少なくなるように、予め決められた複数種類のデータ変換パターンのなかから前記送信装置及び受信装置で用いるデータ変換パターンを選択するパターン制御装置と、
を有していてもよい。
【０００９】
または、前記受信装置は、
前記復元された原データ中の伝送エラーを検出するエラー検出回路と、
前記伝送エラーの発生回数をカウントするエラー発生回数カウント回路と、
前記伝送エラーの発生回数が、対応する前記データ変換パターンに関連付けられて履歴情報として蓄積される履歴テーブルと、
を有し、
前記履歴テーブルへ前記履歴情報を格納すると共に、該履歴情報に基づいて前記伝送エラーの発生回数が最も少なくなるように、予め決められた複数種類のデータ変換パターンのなかから前記送信装置及び受信装置で用いるデータ変換パターンを選択するパターン制御装置をさらに有していてもよい。
【００１０】
上記のように構成されたデータ伝送システムでは、履歴テーブルに蓄積された履歴情報を参照し、伝送エラーが最も少ないデータ変換パターンを選択するため、伝送エラーの発生を低減することができる。
【００１１】
本発明のデータ伝送システムでは、前記パターン制御装置により、前記データ変換パターンの使用時間を、対応する前記データ変換パターンに関連付けて前記履歴情報として前記履歴テーブルにそれぞれ格納してもよく、
実行中のＪＯＢの情報を取得し、取得した前記ＪＯＢの情報を、対応するデータ変換パターンに関連付けて前記履歴情報として前記履歴テーブルにそれぞれ格納してもよい。
【００１２】
このような構成では、データ変換パターンの使用時間を、対応するデータ変換パターンに関連付けて履歴テーブルに格納することで、パターン制御装置は各データ変換パターンの単位時間当たりの伝送エラーの発生回数を算出できる。
【００１３】
また、ＪＯＢ情報を取得し、データ変換パターンと関連付けて履歴テーブルへ格納することで、パターン制御装置はＪＯＢに応じた最適なデータ変換パターンを選択できる。
【００１４】
本発明では、上記記載のデータ伝送システムを備えた複数の装置と、
前記装置と互いに通信可能に接続された、前記装置が備える前記履歴テーブルに格納された前記履歴情報を収集・蓄積するデータベース装置と、
を有する通信システムを構築してもよい。
【００１５】
その場合、各装置毎のデータの送信機会に応じてデータベースに蓄積される履歴情報が増えるため、より最適なデータ変換パターンを選択できる。
【発明の効果】
【００１６】
履歴テーブルに蓄積された履歴情報を参照し、伝送エラーが最も少ないデータ変換パターンを選択することで、伝送エラーの発生を低減できるため、信頼性の高いデータ伝送システムを提供できる。また、データ変換パターンを切り替え可能にしているため、送信するデータの変化に合わせて最適なデータ変換パターンを選択できる。
【００１７】
また、データ変換パターンの使用時間を、対応するデータ変換パターンに関連付けて履歴テーブルに格納することで、パターン制御装置は各データ変換パターンの単位時間当たりの伝送エラーの発生回数を算出できるため、伝送エラーの発生回数が最も少ないデータ変換パターンを容易に選択できる。
【００１８】
また、ＪＯＢ情報を取得し、データ変換パターンと関連付けて履歴テーブルへ格納することで、ＪＯＢに応じた最適なデータ変換パターンを選択できる。さらに、予め実行するＪＯＢが判明している場合は、該ＪＯＢの実行当初から最適なデータ変換パターンに切り替えれば、より伝送エラーの少ないデータ伝送が可能になる。
【００１９】
さらに、本発明のデータ伝送システムを備えた複数の装置と、該装置と互いに通信可能に接続された、該装置が備える履歴テーブルに格納された履歴情報を収集・蓄積するデータベース装置とを有する通信システムを構築することで、各装置毎のデータの送信機会に応じてデータベース装置に蓄積される履歴情報が増えるため、より最適なデータ変換パターンを選択できる。特に、データベース装置を参照することで、履歴テーブルに履歴情報が蓄積されていない装置に対しても最適なデータ変換パターンを提供できる。
【発明を実施するための最良の形態】
【００２０】
次に本発明について図面を参照して説明する。
【００２１】
図１は本発明のデータ伝送システムの一構成例を示すブロック図である。
【００２２】
図１に示すように、本発明のデータ伝送システムは、データを送信する送信装置１０と、データを受信する受信装置２０とを有し、送信装置１０と受信装置２０とがデータの送受信や各種制御信号の送受信に用いる伝送線路３０を介して接続された構成である。送信装置１０及び受信装置２０は、ＣＰＵ、メモリあるいはその他の機能を有するＬＳＩや論理回路等によって構成された回路である。なお、本発明のデータ伝送システムを備える装置には、実行中の処理（ＪＯＢ）を管理するＪＯＢ管理装置４０を備えていてもよい。ＪＯＢ管理装置４０は、例えばＣＰＵ、ＤＳＰあるいは論理回路等を有する処理装置によって実現可能であり、本発明のデータ伝送システムをパーソナルコンピュータ等の情報処理装置が備えている場合は、該情報処理装置のオペレーティングシステム（ＯＳ）によって実現できる。
【００２３】
送信装置１０は、送信対象となるデータ（以下、原データと称す）を出力するデータ出力回路１１と、原データのビット毎の並びを所定の信号系列（以下、データ変換パターンと称す）を用いてそれぞれ変換し、伝送線路を介して受信装置２０へ送信するパターン変換回路１２とを有する構成である。
【００２４】
受信装置２０は、伝送線路３０を介して受信したデータから変換前の原データをビット毎に復元するパターン復元回路２１と、パターン復元回路２１で復元されたデータ（以下、復元データと称す）中の伝送エラーを検出するエラー検出回路２２と、復元データの伝送エラー発生回数をカウントするエラー発生回数カウント回路２３と、データ変換パターンに対する伝送エラー発生回数等の各種履歴情報が蓄積される履歴テーブル２４と、履歴テーブル２４へ履歴情報を格納すると共に、該履歴情報に基づいてパターン変換回路１２及びパターン復元回路２１で用いるデータ変換パターンを切り替えるパターン制御装置２５とを有する構成である。なお、パターン制御装置２５は、図１に示すように受信装置２０内に設ける必要はなく、送信装置１０や受信装置２０から独立して備えていてもよい。
【００２５】
次に、図１に示したパターン変換回路１２及びパターン復元回路２１の実施例について図面を用いて説明する。
【００２６】
以下に示す実施例は、パターン変換回路１２を用いて送信データの変化（０から１、または１から０）を低減することで伝送エラーの発生を低減する例である。
【００２７】
図２は図１に示したパターン変換回路及びパターン復元回路の第１実施例を示す図であり、同図（ａ）は回路図、同図（ｂ）は動作の様子を示す波形図である。また、図３は図１に示したパターン変換回路及びパターン復元回路の第２実施例を示す図であり、同図（ａ）は回路図、同図（ｂ）は動作の様子を示す波形図である。なお、図２（ａ）及び図３（ａ）では、複数ビットで構成される原データのうち、１つのビットに対応する回路の構成例のみを示している。パターン変換回路１２及びパターン復元回路２１は、図２（ａ）及び図３（ａ）に示した回路を原データの各ビットに対応してそれぞれ備えていてもよく、１つまたは任意の複数のビットにのみ対応して備えていてもよい。
【００２８】
まず、第１実施例のパターン変換回路１２及びパターン復元回路２１について図２を用いて説明する。
【００２９】
図２（ａ）に示すように、第１実施例のパターン変換回路１２は、データ変換パターンを発生する第１のパターン発生回路１２１と、データ出力回路１１から出力される原データ（１ビット分）と第１のパターン発生回路１２１から出力されたデータ変換パターンの排他的論理和を出力する第１のＸＯＲ回路１２２とを有する構成である。
【００３０】
パターン復元回路２１は、第１のパターン発生回路１２１と同一のデータ変換パターンを発生する第２のパターン発生回路２１１と、受信データと第２のパターン発生回路２１１から出力されたデータ変換パターンの排他的論理和を出力する第２のＸＯＲ回路２１２とを有する構成である。
【００３１】
第１のパターン発生回路１２１及び第２のパターン発生回路２１１は、例えば、所定の周波数のクロックを生成する回路、あるいはＲＯＭ等のメモリに格納されたデータを所定のアドレスから順に出力させる論理回路等によって実現できる。図２（ａ）では、原データとデータ変換パターンの排他的論理和（ＸＯＲ）を送信データとして出力する構成を示しているが、パターン変換回路１２で変換したデータから原データを復元できれば、その他の論理演算結果（論理積や論理和、あるいはそれらを組み合わせた論理演算結果等）を用いてもよい。
【００３２】
図２（ｂ）に示すように、第１実施例では、原データ（１ビット分）として０と１とが一定の周期で交互に現れるデータが出力され、第１のパターン発生回路１２１から原データと同様に０と１とが一定の周期で交互に現れるデータ変換パターンが出力される。第１実施例では、図２（ｂ）に示すようにデータ変換パターンの位相が原データと一致するとき、第１のＸＯＲ回路１２２から出力される送信データは０で一定となる。
【００３３】
パターン復元回路２１は、受信データと第２のパターン発生回路２１１から出力されるデータ変換パターンの排他的論理和を第２のＸＯＲ回路２１２で演算することで、０と１とが一定の周期で交互に現れる原データを復元する。図２（ｂ）に示したように、パターン変換回路１２から出力される送信データが一定な値となるようにデータ変換パターンを設定すれば、最も大きい伝送エラーの低減効果が期待できる。
【００３４】
続いて、第２実施例のパターン変換回路１２及びパターン復元回路２１について図３を用いて説明する。
【００３５】
第２実施例のパターン変換回路１２及びパターン復元回路２１は、第１のパターン発生回路１２１及び第２のパターン発生回路２１１で生成するデータ変換パターンが図２に示した第１実施例のパターン変換回路１２及びパターン復元回路２１と異なっている。パターン変換回路１２及びパターン復元回路２１の構成は第１実施例と同様であるため、その説明は省略する。
【００３６】
図３（ｂ）に示すように、第２実施例では、第１実施例と同様に原データ（１ビット分）として０と１とが一定の周期で交互に現れるデータが出力され、第１のパターン発生回路１２１からは原データの立ち上がりに同期して０と１とが交互に現れるデータ変換パターンが出力される。このような場合、第１のＸＯＲ回路１２２からは原データの立下りに同期して０と１とが交互に現れる送信データが出力される。
【００３７】
パターン復元回路２１は、受信データと第２のパターン発生回路２１１から出力されるデータ変換パターンとの排他的論理和を第２のＸＯＲ回路２１２で演算することで原データを復元する。第２実施例では、原データの伝送レートを１／２にしたときと同等の伝送エラーの低減効果が期待できる。
【００３８】
なお、第１実施例及び第２実施例では、送信データの変化を少なくすることで伝送エラーの発生を低減する例を示したが、例えば８Ｂ１０Ｂ符号を採用したデータ伝送システムのように、０または１が連続しないときに安定してデータを伝送できるシステムでは、０または１で連続しない送信データを生成するためのデータ変換パターンを用いてもよい。
【００３９】
また、データ変換パターンは、原データの各ビットに対して同じパターンを用いる必要はなく、対向するパターン変換回路１２とパターン復元回路２１とで同一のパターンを用いるならば、ビット毎に異なっていてもよい。
【００４０】
ところで、送信対象である原データは、装置が実行するプログラムや処理で用いるデータによって常に変動する。そのため、本発明のデータ伝送システムでは、第１のパターン発生回路１２１及び第２のパターン発生回路２１１で複数種類のデータ変換パターン（図１ではパターンＡ〜Ｆ）を生成する。これらのデータ変換パターンはパターン制御装置２５からの指示（パターン切替指示）にしたがって切り替え可能にする。パターン制御装置２５は、履歴テーブル２４を参照して伝送エラーの発生が最も少ないデータ変換パターンを選択し、第１のパターン発生回路１２１及び第２のパターン発生回路２１１に対して選択したデータ変換パターンへの切り替えを指示する。
【００４１】
受信装置２０は、パターン復元回路２１によって原データを復元すると、エラー検出回路２２（例えばＥＣＣ回路等）を用いて復元データ中に含まれる伝送エラーを検出する。エラー検出回路２３で伝送エラーが検出された場合、エラー発生回数カウント回路２３は内蔵するカウンタの値に１を加算する。また、伝送エラーが検出されない場合、エラー発生回数カウント回路２３はカウンタの値をそのままで維持する。パターン制御装置２５は、エラー発生回数カウント回路２３でカウントしたエラー発生回数（カウンタの値）を原データの変換及び復元に用いたデータ変換パターンに関連付けて履歴テーブル２４に格納する。
【００４２】
ここで、パターン制御装置２５は、各データ変換パターンの使用時間を、対応するデータ変換パターンに関連付けて履歴テーブル２４に保存してもよい。その場合、パターン制御装置２５は、データ変換パターン毎の単位時間当たりのエラー発生回数を算出すれば、伝送エラーの発生回数が最も少ないデータ変換パターンを容易に選択できる。
【００４３】
また、パターン制御装置２５は、図１に示したＪＯＢ管理装置４０から実行中のＪＯＢの情報（ＪＯＢ番号等）を取得し、取得したＪＯＢの情報を対応するデータ変換パターンに関連付けて履歴テーブル２４に保存してもよい。その場合、パターン制御装置２５は、ＪＯＢ毎に最適なデータ変換パターンを選択できる。さらに、予め実行するＪＯＢが判明している場合は、該ＪＯＢの実行当初から最適なデータ変換パターンに切り替えれば、より伝送エラーの少ないデータ伝送が可能になる。
【００４４】
次に、履歴テーブル２４に対する履歴情報の蓄積方法について図面を用いて説明する。
【００４５】
例えば、装置に対する電源投入直後のように、履歴テーブル２４に履歴情報が蓄積されていない場合、本発明のデータ伝送システムでは、パターン制御装置２５により予め設定したデータ変換パターン、あるいは予め設定した複数のデータ変換パターンを順に用いて原データを変換して送信し、各データ変換パターンに対する伝送エラーの発生回数等の履歴情報を履歴テーブル２４に蓄積する。
【００４６】
ここで、データ変換パターンの切り替え方法としては以下の（１）〜（３）が考えられる。
（１）タイマ等を用いて一定の時間（維持期間）毎にデータ変換パターンを切り替える。
（２）データ出力回路１１から原データが出力されていない期間（伝送休止期間）にデータ変換パターンを切り替える。伝送休止期間は、例えば原データを出力していないため、データ変換パターンの切り替えが可能であることを信号（パターン切替許可）をデータ出力回路１１からパターン制御装置２５へ送出することで判別する。
（３）上記（１）、（２）を組み合わせたタイミングでデータ変換パターンを切り替える。但し、基本的にはタイマ等を利用して一定の時間（維持期間）毎にデータ変換パターンを切り替える。
【００４７】
図４は、最も有効な方法と考えられる上記（３）にしたがってパターン制御装置２５によりデータ変換パターンを切り替える様子を示す模式図である。図４では、パターンＡの維持期間終了後、伝送休止期間を待ってパターンＢへ切り替える様子を示している。図４に示すように、原データを送信しない期間を利用して、予め設定された複数種類のデータ変換パターンを順に切り替えつつ、各データ変換パターンを用いた原データの変換後のデータをそれぞれ所定の一定時間だけ送信させ、履歴テーブル２４に履歴情報を蓄積させる。その後、該履歴情報を参照して最適なデータ変換パターンを選択すればよい。このような手順で履歴情報を蓄積すれば、伝送エラーの発生を自動的に低減する機能を備えたデータ伝送システムを実現できる。
【００４８】
なお、受信装置２０に外部から履歴テーブル２４に格納された履歴情報へのアクセスを可能にするインタフェース部を設け、例えばパーソナルコンピュータ等の情報処理装置を用いて履歴情報を収集してもよい。その場合、該情報処理装置へより多くの履歴情報を蓄積できるため、パターン制御装置２５に代えて該情報処理装置によりデータ変換パターンを選択すれば、伝送エラーの発生が更に少ないデータ変換パターンを選択できる。
【００４９】
さらに、図５に示すように、本発明のデータ伝送システムを備えた複数の装置（図５では装置Ａ〜Ｆ）と、各装置に備える履歴テーブル２４の履歴情報を収集・蓄積するデータベース装置５０とを有し、各装置とデータベース装置とをネットワークを介して互いに通信可能に接続した通信システムを構築してもよい。
【００５０】
データベース装置は、ネットワークを介して各装置からそれぞれの履歴テーブル２４に格納された履歴情報を収集し、蓄積する。このような構成では、各装置毎のデータの送信機会に応じてデータベース装置に各装置から送信された多数の履歴情報を蓄積できるため、より最適なデータ変換パターンを選択することができる。特に、このようなシステムを構築することで、履歴テーブル２４に履歴情報の蓄積が無い装置に対しても有効なデータ変換パターンを提供できる。
【図面の簡単な説明】
【００５１】
【図１】本発明のデータ伝送システムの一構成例を示すブロック図である。
【図２】図１に示したパターン変換回路及びパターン復元回路の第１実施例を示す図であり、同図（ａ）は回路図、同図（ｂ）は動作の様子を示す波形図である。
【図３】図１に示したパターン変換回路及びパターン復元回路の第２実施例を示す図であり、同図（ａ）は回路図、同図（ｂ）は動作の様子を示す波形図である。
【図４】図１に示したパターン制御装置の制御によりデータ変換パターンを切り替える様子を示す模式図である。
【図５】本発明のデータ伝送システムを備えた装置を用いて構築した通信システムの一構成例を示すブロック図である。
【符号の説明】
【００５２】
１０    送信装置
１１    データ出力回路
１２    パターン変換回路
２０    受信装置
２１  パターン復元回路
２２    エラー検出回路
２３    エラー発生回数カウント回路
２４  履歴テーブル
２５    パターン制御装置
３０    伝送線路
４０    ＪＯＢ管理装置
５０    データベース装置
１２１    第１のパターン発生回路
１２２    第１のＸＯＲ回路
２１１    第２のパターン発生回路
２１２    第２のＸＯＲ回路
【図１】
2006060366.tif 000003
【図２】
2006060366.tif 000004
【図３】
2006060366.tif 000005
【図４】
2006060366.tif 000006
【図５】
2006060366.tif 000007